(57)【要約】【課題】左右の扉がスライドする遊びを設けなくとも左右の扉を中央框から折り易い折戸を提供する。【解決手段】中央框１９は、レール４１よりも室外側に、左右のカバー３３、３５を各々回動自在に軸着する左カバー軸着部５１と右カバー軸着部５３とを有し、左カバー３３は、左扉１５の中央框側端部２５を室外側から遮蔽し且つ左扉１５の中央框側端部２５と中央框１９とで囲む左空間５５を、右カバー３５は、右扉１７の中央框側端部２７を室外側から遮蔽し且つ右扉１７の中央框側端部２７と中央框１９とで囲む右空間５７を区画し、左アーム３７は、左扉１５と左カバー３３を連結し、右アーム３９は、右扉１７と右カバー３５を連結し、左右の扉の中央框側端部２５、２７が左右の空間５５、５７内で各々回動すると共に左右のカバー３３、３５が左右の扉１５、１７と各々同方向に回動する。【選択図】図１
2014214590.tif 000002
【特許請求の範囲】
【請求項１】
左右の扉と、左右の扉間に設けた中央框と、左カバーと、右カバーと、左アームと、右アームとを備え、中央框は、扉のレールよりも室内側に、左右の扉の中央框側端部の室内側を各々回動自在に軸着する左扉軸着部と右扉軸着部とを有し、扉のレールよりも室外側に、左右のカバーを各々回動自在に軸着する左カバー軸着部と右カバー軸着部とを有し、左カバーは、左扉の中央框側端部を室外側から遮蔽し且つ扉が閉じ位置にあるときに左扉の中央框側端部と中央框とで囲む左空間を区画しており、右カバーは、右扉の中央框側端部を室外側から遮蔽し且つ扉が閉じ位置にあるときに右扉の中央框側端部と中央框とで囲む右空間を区画しており、左アームは、左扉と左カバーを連結しており、右アームは、右扉と右カバーを連結しており、左右の扉の中央框側端部が、左右の空間内で各々回動すると共に、左右のカバーが左右の扉と各々同方向に回動すること特徴とする折戸。
【発明の詳細な説明】
【技術分野】
【０００１】
本発明は、折戸に関する。
【背景技術】
【０００２】
特許文献１には、左扉と右扉とを中央框で連結した折戸が開示されている。この特許文献１の折戸には、折戸を閉じた状態のときに扉（左扉又は右扉）と竪枠との間に隙間（遊び）を形成し、折戸を開くときに、左右の扉を見付け方向戸尻側にスライドさせて、扉が戸尻側竪枠に当接したときの力を受けて左右の扉を中央框から折ることが開示されている。
【先行技術文献】
【特許文献】
【０００３】
【特許文献１】特開２００３−１３８８５１号公報
【発明の概要】
【発明が解決しようとする課題】
【０００４】
しかし、折戸を閉じた状態で扉と枠との間に遊びを設けると、枠が大きくなるという不都合があった。
【０００５】
そこで、本発明は、左右の扉がスライドする遊びを設けなくとも左右の扉を中央框から折り易い折戸の提供を目的とする。
【課題を解決するための手段】
【０００６】
請求項１に記載の発明は、左右の扉と、左右の扉間に設けた中央框と、左カバーと、右カバーと、左アームと、右アームとを備え、中央框は、扉のレールよりも室内側に、左右の扉の中央框側端部の室内側を各々回動自在に軸着する左扉軸着部と右扉軸着部とを有し、扉のレールよりも室外側に、左右のカバーを各々回動自在に軸着する左カバー軸着部と右カバー軸着部とを有し、左カバーは、左扉の中央框側端部を室外側から遮蔽し且つ扉が閉じ位置にあるときに左扉の中央框側端部と中央框とで囲む左空間を区画しており、右カバーは、右扉の中央框側端部を室外側から遮蔽し且つ扉が閉じ位置にあるときに右扉の中央框側端部と中央框とで囲む右空間を区画しており、左アームは、左扉と左カバーを連結しており、右アームは、右扉と右カバーを連結しており、左右の扉の中央框側端部が、左右の空間内で各々回動すると共に、左右のカバーが左右の扉と各々同方向に回動すること特徴とする折戸である。
【発明の効果】
【０００７】
請求項１に記載の発明では、中央框は扉のレールよりも室内側に左扉軸着部と右扉軸着部とを有するから、左扉や右扉がレールに沿う方向の力を受けた場合に、このレールに沿う方向の力は左扉軸着部や右扉軸着部を中心とする回転モーメントとして作用するので、中央框を室内側に移動させるようにして左右の扉を回動して折り畳む。したがって、障子がスライドする遊びを設けなくとも左右の扉を中央框から容易に折ることができる。
また、中央框を室内側へ向けて押した場合（押し操作）にも、左扉軸着部及び右扉軸着部を中心とする回転モーメントが作用するので、左右の扉を中央框から容易に折ることができる。
スライド操作により左右の扉を中央框から折る構造の折戸では、扉を開く際に左右の扉の折りを案内し、扉を閉じた時に閉じ状態を保持する案内部材を設ける場合があり、かかる案内部材は、扉を閉じた状態で中央框を室内側へ向けて押すと無理な力がかかり破損することがあったが、本発明では、上述のように、スライド操作のみならず、押し操作によっても左右の扉を中央框から折ることができるので、案内部材を設けた場合でも押し操作による案内部材の破損を防止できる。
左扉の中央框側端部を左カバーで室外側から遮蔽し、右扉の中央框側端部を右カバーで室外側から遮蔽しているので、各扉の中央框側端部が室外側から見えないので外観が良い。
折戸を閉じ位置から開くときに、左扉と左カバーが同方向に回動すると共に左扉の中央框側端部が左空間内を回動するので、左扉の中央框側端部と中央框との間に手を挟むのを防止できる。同様に右扉と右カバーが同方向に回動すると共に右扉の中央框側端部が右空間内を回動するので、右扉の中央框側端部と中央框との間に手を挟むのを防止できる。
【図面の簡単な説明】
【０００８】
【図１】本発明の第１実施の形態にかかる折戸の中央框とその周囲部分を示す平面図であり、（ａ）は折戸を閉じた状態であり、（ｂ）（ｃ）は折戸を順次開く状態を示し、（ｄ）は折戸を開ききった状態を示す図である。
【図２】第１実施の形態にかかる折戸を閉じた状態を、ラッチ構造を除いて示す横断面図である。
【図３】第１実施の形態にかかる折戸を開いた状態を、ラッチ構造を除いて示す横断面図である。
【図４】図２に示すＡ−Ａ断面図であり、ハンドルを除いて示す図である。
【図５】左右の扉の端部キャップの図であり、（ａ）は平面図、（ｂ）は中央框側から見た側面図、（ｃ）は中央框と反対側から見た側面図、（ｄ）は裏面図、（ｅ）は底面図である。
【図６】右アームの図であり、（ａ）は平面図、（ｂ）は正面図である。
【図７】本発明の第１実施の形態にかかる折戸において、閉じ状態にあるときの障子をラッチ構造と共に示す平面図であり、中央框キャップを除いて示す図である。
【図８】下ラッチ受けの図であり、（ａ）は平面図、（ｂ）は側面図である。
【図９】ローラーラッチのケースの図であり、（ａ）は平面図、（ｂ）は戸尻側から見た側面図、（ｃ）は正面図、（ｄ）は裏面図である。
【図１０】ローラーラッチのローラー体の図であり、（ａ）は平面図、（ｂ）は正面図である。
【図１１】上ラッチ受けの図であり、（ａ）は平面図、（ｂ）は側面図、（ｃ）は底面図である。
【図１２】本発明の第２実施の形態にかかる折戸であって、閉じ状態にあるときの障子をラッチ構造と共に示す平面図であり、中央框キャップを除いて示す図である。
【図１３】本発明の第３実施の形態にかかる折戸であって、閉じ状態にあるときの障子をラッチ構造と共に示す平面図である。
【図１４】中央框に取り付ける中央框キャップの図であって、（ａ）は平面図、（ｂ）は側面図、（ｃ）は背面図、（ｄ）は底面図である。
【図１５】本実施の形態の変形例を示し、折戸の中央框とその周囲部分を示す横断面図であり、（ａ）は第１変形例であり、（ｂ）は第２変形例である。
【発明を実施するための形態】
【０００９】
以下に、添付図面を参照して本発明の実施の形態を説明するが、まず、図１〜図１１、図１４を参照して本発明の第１実施の形態について説明する。
図２〜図４に示すように、本実施の形態に係る折戸１は、枠３と、枠３内に設けた折り畳可能な障子５とを備えている。枠３は、上枠（横枠）７と、下枠（横枠）９と、戸先側竪枠１１、戸尻側竪枠１３とで枠組みされており、各枠７、９、１１、１３にはシール材１４が取付けてある。
障子５は、室外側から見て左扉（戸尻側扉）１５と、右扉１７と、左扉１５と右扉１７との間に設けた中央框１９と、右扉１７の右側（戸先側）に設けた戸先扉２１とを備えており、右扉１７の戸先側框２２には室内側と室外側に各々突設するハンドル２３が設けてある。
図１に示すように、左扉１５の中央框側端部２５の上端及び右扉１７の中央框側端部２７の上端には各々端部キャップ２９が取付けてあり、中央框１９の上端には中央框キャップ３１が取付けてある。また、中央框１９には、その室外側に左カバー３３と右カバー３５とが設けてあり、左カバー３３と左扉１５の中央框側端部２５とは左アーム３７で連結しており、右カバー３５と右扉１７の中央框側端部２７とは右アーム３９で連結している。尚、図示を省略しているが、各端部キャップ２９、３１及びアーム３７、３９は、障子５の下端側にも上端側と同様に設けてある。
【００１０】
中央框１９は、上下に長い形材製であり、図１（ａ）及び図２に示すように、障子５のレール４１よりも室内側に位置して見付け方向に長い見付け部４３と、見付け部４３の見付け方向中央部から室外側へ突出する見込み部４５とを有し、見付け部４３と見込み部４５とで平面視略Ｔ字形状を成している。
中央框１９の見付部４３には、左側端部に左扉１５の被軸着部４６を回動自在に軸着する左扉軸着部４７が設けてあり、右側端部に右扉１７の被軸着部４８を回動自在に軸着する左扉軸着部４９が設けてある。中央框１９の見込み部４５の室外側端部にはレール４１よりも室外側に、左右のカバー３３、３５の各被軸着部５０を各々回動自在に軸着する左カバー軸着部５１と右カバー軸着部５３とが設けてある。
【００１１】
左右のカバー３３、３５は左右対称形状であり上下に長い形材製である。左カバー３３は被軸着部５０が右側に設けてあり、右カバー３５は被軸着部５０が左側に設けてある。
左カバー３３は、左扉１５の中央框側端部２５を室外側から遮蔽し、且つ左扉１５が閉じ位置にあるときに左扉１５の中央框側端部２５と中央框１９とで囲む左空間５５を区画している。
右カバー３５は、右扉１７の中央框側端部２７を室外側から遮蔽し且つ右扉１７が閉じ位置にあるときに右扉１７の中央框側端部２７と中央框１９とで囲む右空間５７を区画している。
【００１２】
図１に示すように、左右の扉１５、１７に装着する端部キャップ２９は、平面視で左右対称形状としてあり、図５に示すように、左右の扉１５、１７の各中央框側端部２５、２７に嵌め込む嵌合部２９ａと、本体部２９ｂとを有し、本体部２９ｂの上面には左右の各アーム３７、３９の突設部３９ｂ（後述する）を案内する案内溝５９が形成されている。案内溝５９は左右の各扉１５、１７の見付け方向に延出する見付け部５９ａと見付け部５９ａに連続して中央框側ほど室内側へ傾斜した傾斜部５９ｂとが形成されており、見付け部５９ａと傾斜部５９ｂとは連続してある。
【００１３】
図１に示すように、左アーム３７は、右アーム３９と左右対称形状であるから、図６に示す右アーム３９を説明して左アーム３７の説明を省略する。右アーム３９は右カバー３５に取付けるカバー取付部３９ａと、端部キャップ２９側に突出する突出部３９ｂと有し、突出部３９ｂが上述した端部キャップ２９の案内溝５９を移動自在に係合してある。
このように、左右のアーム３７、３９と端部キャップ２９との係合により、図１（ａ）〜（ｄ）に示すように、左扉１５の中央框側端部２５と、右扉１７の中央框側端部２７が、各左右の空間５５、５７内で各々回動すると共に、左右のカバー３３、３５が左右の扉１５、１７と各々同方向に回動する。
中央框キャップ３１は、図１及び図１４に示すように、平面視が中央框１９の形状に沿って平面視略Ｔ字形状を成しており、中央框１９の上端面を覆っている。中央框キャップ３１は、取付部７１ａを中央框１９の中空に挿入して取付けてある。
【００１４】
次に、図４、図７〜図１１を参照して、第１実施の形態にかかるラッチ構造について説明する。図４及び図７に示すように、本実施の形態では、一方のラッチ構造６５ａと他方のラッチ構造６５ｂとの２つのラッチ構造を備えており、一方のラッチ構造６５ａは、ローラーラッチ６７と、下ラッチ受け６９とから構成されており、他方のラッチ構造６５ｂは、ローラーラッチ６７と、上ラッチ受け７０とから構成されている。
一方のラッチ構造６５ａでは、ローラーラッチ６７は左扉１５の下端に設けてあり、下ラッチ受け６９は下枠（横枠）９の対応する位置に設けてある。
他方のラッチ構造６５ｂでは、ローラーラッチ６７は右扉１７の上端に設けてあり、上ラッチ受け７０は上枠（横枠）７の対応する位置に設けてある。
【００１５】
各ローラーラッチ６７は、図７、図９及び図１０に示すように、ラッチケース７１とローラー体７３と、付勢部材７５とを備えている。図１０に示すように、ローラー体７３は、台座７３ａと、垂直軸７３ｂと、ローラー７３ｃを有し、台座７３ａに垂直軸７３ｂの一端を固定してあり、垂直軸７３ｂの他端にはローラー７３ｃが垂直軸回りを回転自在に取付けてある。また、ローラー７３ｃは、障子５の室内側面よりも室内側に突設してある。
図９に示すように、ラッチケース７１は、障子に取付ける取付部７１ａと、ローラー体７３の台座７３ａをスライド自在に保持する台座保持部７１ｂと、付勢部材収納部７１ｃとを有し、台座保持部７１ｂと付勢部材収納部７１ｃとは連続した溝としてある。
付勢部材７５は台座７３ａを上枠７の長手方向戸先側に向けて付勢する。
【００１６】
図７に示すように、下ラッチ受け６９は、見込み方向室内側に突設してあり、図７及び図８に示すように、見込み面６９ａと、下枠（横枠）９に取付ける取付部６９ｂとを備えている。見込み面６９ａには、室外側ほど戸先側竪枠（戸先枠）に近くなるように傾斜した傾斜部７６と、傾斜部７６に連続して傾斜部７６の室外側に設けた係合保持部７７が形成されている。係合保持部７７はローラー７３ｃの外周面に沿う円弧状を成しており、ローラー７３ｃの外周面の円弧部分に嵌合可能にしてある。
図７及び図１１に示すように、他方のラッチ構造６５ｂの上ラッチ受け７０は、上枠７に取付けるものであり、一方のラッチ構造６５ａの下ラッチ受け６９と形状が異なるだけで、一方のラッチ受け６５ａと同じ構成であり、同一の作用効果を奏する部分には同一の符号を付してその部分の詳細な説明を省略する。
【００１７】
次に、本実施の形態にかかる折戸１の開閉操作、作用及び効果について説明する。まず、閉じ状態にある障子５を開く操作について説明する。
図２及び図７に示すように障子５が閉じ状態にあるときから、図３に示すように障子５を開くときには、室内側又は室外側にあるハンドル２３を見付け方向（横枠の長手方向）戸尻側へ引いてスライド操作する。
図１（ａ）に示すように、障子５の見付け方向戸尻側にスライド操作するときの力Ｆは、レール４１に沿う方向の力であるから、レール４１よりも室内側にある右扉軸着部４９には回転モーメントとして作用し、スライド操作時に障子５が戸尻側竪框１３から受ける反対方向の反力Ｆ´は左扉軸着部４７に反対方向の回転モーメントとして作用する。
これにより、図１（ｂ）（ｃ）に示すように、これらの回転モーメントＦ及びＦ´が中央框１９を室内側へ押出すようにして左扉１５と右扉１７とが回動し、開き切った状態では、図１（ｄ）に示すように、左扉１５と右扉１７との室外側見付け面を重ねるようにして折り畳む。
【００１８】
一方、左カバー３３は、左アーム３７により左扉１５の中央框側端部２５に連結されているので、左扉１５の中央框側端部２５が左扉軸着部４７回りを回動すると、図１（ｂ）〜（ｃ）に示すように、左カバー軸着部５１回りを、左扉１５の中央框側端部２５と同方向に回動する。同様に、右カバー３５は、右アーム３９により右扉１７の中央框側端部２７に連結されているので、右扉１７の中央框側端部２７が右扉軸着部４９回りを回動すると、右カバー軸着部５３回りを、右扉１７の中央框側端部２７と同方向に回動する。
また、左扉１５の中央框側端部２５は、左扉軸着部４７回りを回動するときには、左空間５５内を回動し、右扉１７の中央框側端部２７は、右扉軸着部４９回りを回動するときには、右空間５７内を回動する。
そして、図１（ｄ）及び図３に示すように、障子５を折り畳んだ状態では、左扉１５の中央框側端部２５は左空間５５内に納まり、右扉１７の中央框側端部２７は右空間５７内に納まり、左扉１５と右扉１７とが室外側見付け面を重ねるようにして折り畳まれる。
【００１９】
次に、障子５を図３に示す開き状態から、図２及び図７に示す閉じ状態にする操作について説明する。
図３に示す障子５の開き状態からハンドル２３を戸先側竪枠１１側へ引いてスライド操作すると、左扉１５及び右扉１７は図１（ｄ）、（ｃ）、（ｂ）、（ａ）の順序で示すように、中央框１９の左扉軸着部４７及び右扉軸着部４９回りをそれぞれ回動すると共に左カバー３３及び右カバー３５が左カバー軸着部５１及び右カバー軸着部５３回りを回動して、図１（ａ）及び図２に示すように、障子５を閉じる。
一方、図７に示すように、ローラーラッチ６７のローラー７３ｃは、付勢部材７５により見付け方向戸先側に向けてローラーラッチ６７の台座７３ａを付勢してあり、図１（ａ）及び図２に示す障子５の閉じ状態の直前で、ローラー７３ｃがラッチ受け６９の見込み面６９ａに室内側から当接して、傾斜部７６に案内されつつ室外側へ移動する。そして、障子５が閉じた状態でローラー７３が付勢部材７５に付勢されつつ係合保持部７７に対向する位置に到達すると、係合保持部７７側に向けて見付け方向に移動し、ローラー７３ｃが係合保持部７７に納まり、障子５の閉じ状態を保持する。
【００２０】
ローラー７３ｃが係合保持部７７に納まった障子５の閉じ状態では、ローラー７３ｃは台座７３ａを介して付勢部材７５により係合保持部７７側に付勢されているので、障子５が容易に開いたり、がたついたりするのを防止する。
尚、閉じ状態にある障子５を開くときには、ローラー７３ｃは、付勢部材７５の付勢力に抗して見付け方向に移動しつつ室内側へ移動して係合保持部７７から離脱した後、上述した障子５の折れにより、傾斜部７６に沿って室内側へ移動する。
【００２１】
第１実施の形態によれば、図１に示すように、中央框１９がレール４１よりも室内側に左扉軸着部４７と右扉軸着部４９とを設けて、左右の扉１５、１７を回動自在に軸着しているので、障子５がスライドする遊びを設けなくともスライド操作により閉じ位置にある左右の扉１５、１７を中央框１９から容易に折ることができる。
障子５がスライドする遊びが不要なので、折戸の開口を有効に利用することができ、遊びにごみが溜まることもなく、案内部材も不要なので部品点数が少なくて済む。
また、図１（ａ）に示す障子の閉じ状態から、中央框１９を室内側へ向けて押した場合（押し操作）にも、右扉軸着部４９及び左扉軸着部４７回りを左右の扉１５、１７が回動するから、左右の扉１５、１７を中央框１９から容易に折ることができる。
仮に、スライド操作したときに左右の扉１５、１７の折りを案内する案内部材を設けた場合にはかかる案内部材は、中央框１９を室内側へ向けて押すと無理な力がかかり破損するおそれがあるが、本発明では、上述のように、ハンドルによるスライド操作のみならず、中央框１９を室内側へ向けて押す押し操作によっても左右の扉１５、１７を中央框１９から折ることができるので、押し操作による案内部材の破損を防止できる。
図１（ａ）に示すように、左扉１５の中央框側端部２５を左カバー３３で室外側から遮蔽し、右扉１７の中央框側端部２７を右カバー３５で室外側から遮蔽しているので、各扉１５、１７の中央框側端部２５、２７が室外側から見えないので外観が良い。
図１（ａ）〜（ｄ）に示すように、折戸１を閉じ位置から開くときに、左扉１５と左カバー３３が同方向に回動すると共に左扉１５の中央框側端部２５が左空間５５内を回動するので、左扉１５の中央框側端部２５と中央框１９との間に手を挟むのを防止できる。同様に、右扉１７と右カバー３５が同方向に回動すると共に右扉１７の中央框側端部２７が右空間５７内を回動するので、右扉１７の中央框側端部２７と中央框１９との間に手を挟むのを防止できる。
【００２２】
図１に示すように、左右の扉１５、１７の各中央框側端部２５、２７及び中央框１９の各上下にキャップ２９、３１を設けているから、各中央框側端部２５、２７及び中央框１９の防水を図ることができると共に、障子５を閉じたときに室外側で左右のカバー３３、３５が左右の扉１５、１７と面一になって上枠７と下枠９に設けてある各シール材１４に当接するので、水密性に優れる。
図１及び図５に示すように、左右の扉１５、１７に装着する端部キャップ２９は平面視で左右対称形状としてあるので、左扉１５の下端に装着するものを右扉１７の上端に用いることができ、同様に左扉１５の上端に装着するものを右扉１７の下端に用いることができるから、部品種類を少なくできる。
【００２３】
一方及び他方のラッチ構造６５ａ、６５ｂによれば、障子５に設けたローラーラッチ６７のローラー７３ｃが付勢部材７５により見付け方向に付勢されて、障子５を閉じる直前や障子５を開くときにローラー７３ｃが見付け方向に移動できるようにしてあるから、障子５を見付け方向の操作により開閉する折戸１でも、閉じ状態にある障子５をラッチ構造６５ａ、６５ｂにより保持することができる。
また、閉じ状態にある障子５を一方及び他方のラッチ構造６５ａ、６５ｂにより保持することで、障子５が容易に開いたりがたついたりするのを防止すると共に枠３に設けた各シール材１４による水密及び気密を高めることができる。
一方のラッチ構造６５ａは左扉１５の下端に設け、他方のラッチ構造６５ｂは右扉１７の上端に設けているので、障子５が閉じ状態から開くときに、上下で個別に、ローラーラッチ６７のローラー７３ｃをラッチ受け６７から離脱する力を作用し易い。したがって、一方と他方のラッチ構造６５ａ、６５ｂを共に上端や下端に設ける場合に比較して、小さい力でラッチを解除して障子５を開くことができる。また、一方のラッチ構造６５ａと他方のラッチ構造６５ｂとで障子５の対角位置で閉じ位置にある障子５を押えているので、ラッチ構造６５ａ、６５ｂによる障子５の閉鎖力を高めることができる。
障子５を閉じ位置から開くときに、ローラーラッチ６７のローラー７３ｃは、係合保持部７７から離脱する方向に円弧状の軌跡を描いて移動するので、離脱に要する力を小さくできる。
また、障子５を開くときには、ローラー７３ｃは付勢部材７５の付勢力に抗して上枠７の長手方向に移動して係合保持部７７から離脱した後、障子５の折れにより、傾斜部７６に沿って移動するので、障子５の開きをスムーズにおこなうことができる。
障子５を閉じる場合に、障子５を勢い良く引き操作したときには、障子５が戸先枠１１に当たって跳ね返るおそれがあるが、障子５が閉じるときにローラー７３ｃは傾斜部７６にガイドされて移動すると共に傾斜部７６が室外側ほど戸先枠１１に近くなるように傾斜しているので、障子５が跳ね返えろうとしたときにローラーに作用する室内側へ向かう力は傾斜部７６が受けるから、障子５の跳ね返りを防止することができる。
ローラーラッチ６７は、台座７３ａをラッチケース７１に収めて、一端部を台座７３ａに取付けた垂直軸７３ｂの一端にローラー７３ｃを保持する構成（片持ち）にしてあるので、ローラー７３ｃを簡易な構成で見付け方向に移動自在に保持することができる。
ラッチ受け６９の係合保持部７７はレール４１よりも室外側に位置しているから、ローラー７３ｃを係合保持部７７に係合及び離脱するときに、左右の扉１５、１７が回動して移動するときの力を利用できるので、障子５をレール４１に一致した位置にあるときよりも、軽い力でローラー７３を係合保持部７７に係合及び係合保持部７７から離脱できる。
【００２４】
一方及び他方のラッチ構造６５ａ、６５ｂは、共に障子５の吊元側框に設けたヒンジ１４から離れた位置にあるので、近い位置にある場合に比較して、各ラッチ構造６５ａ、６５ｂのローラー７３ｃと係合保持部７７とが係合し及び離脱するときに必要な力を小さくできる。
【００２５】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図１２に、本発明の第２実施の形態にかかる折戸１を示す。この第２実施の形態では、左扉１５に設ける一方のラッチ構造６５ａでは、左扉１５の上端部にローラーラッチ６７を設け、上枠に上ラッチ受け７０を設けたことが、第１実施の形態と異なっている。即ち、第２実施の形態では、一方のラッチ構造６５ａ及び他方のラッチ構造６５ｂは、いずれも障子５の上端部と上枠７とに設けている。
【００２６】
この第２実施の形態によれば、下枠９に下ラッチ受け６９を設けていないから、下枠９に突起物がないので下枠９付近で汚れが滞留するのを防止できるから衛生面に優れると共に足がつまずくおそれがないから安全性に優れる。
尚、第２実施の形態では、ハンドル２３、２３は戸先扉２１の戸先側に設けている。
【００２７】
図１３及び図１４に、本発明の第３実施の形態にかかる折戸１を示す。この第３実施の形態では、第１実施の形態と同様に左扉１５の下端部と下枠９に一方のラッチ構造６５ａを設けると共に、他方のラッチ構造６５ｂは中央框１９の上端部にローラーラッチ６７を設け、上枠７に上ラッチ受け７０を設けている。
即ち、他方のラッチ構造６５ｂでは、中央框１９の上部にローラーラッチ６７を設けて、上枠にラッチ受け６９を設けている。
ローラーラッチ６７のラッチケース７１は、第１実施の形態で説明した中央框１９の上端部に装着する中央框キャップ３１が兼ねており、平面視が中央框１９の形状に沿って平面視略Ｔ字形状を成している。図１４に示す取付部７１ａは中央框１９の上端に固定してある。ローラー保持部７１ｂ及び付勢部材収納部７１ｃは、平面視において左右対称に各々２つ設けてあるが、使用するのは左右一方のローラー保持部７１ｂ及び付勢部材収納部７１ｃである。
【００２８】
この第３実施の形態によれば、中央框１９に他方のラッチ構造６５ｂを設けているので、他方のラッチ構造６５ｂを右扉１４の中央部に設ける場合よりも右扉１７の戸先側框に設けた戸車やヒンジ８１（図７、１２、１３に二点鎖線で示す）から離れた位置で障子５の閉じ状態を保持するから、第１及び第２実施の形態に比較して、てこの作用により戸車やヒンジ８１に作用する力を大きくできるので、閉鎖保持力を強くできる。
中央框１９の上端と上枠７とに他方のラッチ構造６５ｂを設けているので、左扉１５や右扉１７に設ける場合に比較して、折り位置にある中央框１９で障子５の閉じ状態を強く保持することができると共に上枠７のシール材１４との密着力を下枠９のシール材との密着力よりも高めることができる。これにより、浴室で要求される障子上側のシール性を高めることができる。
【００２９】
本発明は、上述した実施の形態に限らず、本発明の要旨を逸脱しない範囲で種々変形可能である。
例えば、中央框１９、左扉１５の中央框側端部２５及び右扉１７の中央框側端部２７の形状は、上述した実施の形態に限らず、図１５（ａ）に示すように、横断面において、中央框１９は略３角形形状にして、左扉１５の中央框側端部２５及び右扉１７の中央框側端部２７の端面を見込み方向に傾斜した形状としても良い。また、図１５（ｂ）に示すように、横断面において、中央框１９は室内側が開いた略Ｖ字形状としても良い。
第１実施の形態や第３実施の形態において、ハンドル２３は、第２実施の形態のように戸先扉２３に設けても良く、第２実施の形態のハンドル２３を第１実施の形態や第３実施のように右扉１７の戸先側端部に設けても良い。
折戸１は、浴室戸に限らず、クローゼット等の収納スペースに用いる戸や間仕切り等であってもよい。
【符号の説明】
【００３０】
１      折戸
１５    左扉
１７    右扉
１９    中央框
２５    左扉の中央框側端部
２７    右扉の中央框側端部
３３    左カバー
３５    右カバー
３７    左アーム
３９    右アーム
４１    レール
４７    左扉軸着部
４９    右扉軸着部
５１    左カバー軸着部
５３    右カバー軸着部
５５    左空間
５７    右空間
【図１】
2014214590.tif 000003
【図２】
2014214590.tif 000004
【図３】
2014214590.tif 000005
【図４】
2014214590.tif 000006
【図５】
2014214590.tif 000007
【図６】
2014214590.tif 000008
【図７】
2014214590.tif 000009
【図８】
2014214590.tif 000010
【図９】
2014214590.tif 000011
【図１０】
2014214590.tif 000012
【図１１】
2014214590.tif 000013
【図１２】
2014214590.tif 000014
【図１３】
2014214590.tif 000015
【図１４】
2014214590.tif 000016
【図１５】
2014214590.tif 000017